(57)【要約】【課題】大規模な地震で天井板が大きく揺れた場合でも、その揺れをよく吸収し、天井が歪んだり天井板が落下するのを防止できるようにする。【解決手段】縦材部と横材部でＬ字状に形成されたブラケット部材を壁に取り付け、前記横材部に見切縁支持手段を該壁から接近離隔する方向に摺動自在に設け、前記見切縁支持手段によって、天井板の周辺部を支持する見切縁をその長さ方向に摺動自在に支持する。見切縁は、天井板の動きに合わせてあらゆる方向に大きく動くことができるので、大地震時でも天井の歪みや天井板の落下を防止できる。【選択図】      図１
2009097150.tif 000002
【特許請求の範囲】
【請求項１】
縦材部と横材部でＬ字状に形成されたブラケット部材を壁に取り付け、前記横材部に見切縁支持手段を該壁から接近離隔する方向に摺動自在に設け、前記見切縁支持手段によって、天井板の周辺部を支持する見切縁をその長さ方向に摺動自在に支持したことを特徴とする天井の構造。
【請求項２】
前記見切縁支持手段が、前記見切縁を上下方向に揺動可能に支持するものである請求項１の天井の構造。
【請求項３】
前記見切縁支持手段が、前記ブラケット部材の横材部上を摺動する摺動部と、該摺動部及び前記横材部を上下動自在に貫通する縦軸と、該縦軸上端に固定したバネ受板と、該縦軸下端に固定した見切縁支持部と、前記摺動部とバネ受板との間に装着され前記見切縁支持部を上方向に付勢するバネとを有するものである請求項２の天井の構造。
【請求項４】
前記ブラケット部材の横材部が、断面Ｕ字状に形成された本体と、該本体に出入り自在に嵌装された断面Ｕ字状の嵌装部を有し、該本体と嵌装部が前記軸が貫通し壁から接近離隔する方向に移動可能となるスリットを有するものである請求項３の天井の構造。
【発明の詳細な説明】
【技術分野】
【０００１】
本発明は、地震時に振動を吸収して天井板に過大な衝撃がかかるのを防止することができる新規な天井構造に関する。
【背景技術】
【０００２】
下記特許文献１には、天井の周辺部に用いて天井と壁の取り合いを美しく見せる天井見切縁で、特に地震時に振動を吸収して天井板に過大な衝撃がかかるのを防止するものが記載されている。
この見切縁は、壁際材と遊動材とを有し、遊動材３が壁際材２に対して表裏方向に弾性的に遊動自在となっているので、地震時において天井板及び遊動材の振動が吸収されると共に、天井板及び遊動材が壁際材に衝突する衝撃が弾性部材によって緩和され、天井板及び天井下地に生じる衝撃が緩和され、天井が歪んだり天井板が落下するのが防止されるというものである。
【特許文献１】特開２００２−６１３２８号公報
【発明の開示】
【発明が解決しようとする課題】
【０００３】
上記従来技術の見切縁は、小規模の地震の場合は、充分に天井の振動を吸収して効果を発揮するが、遊動材の振幅が限られるために、大規模な地震時に天井板が大きく揺れた場合に対応するのは困難であった。
本発明は、大規模な地震で天井板が大きく揺れた場合でも、その揺れをよく吸収し、天井が歪んだり天井板が落下するのを防止できる天井構造を開発することを課題としてなされたものである。
【課題を解決するための手段】
【０００４】
〔請求項１〕
本発明は、縦材部と横材部でＬ字状に形成されたブラケット部材を壁に取り付け、前記横材部に見切縁支持手段を該壁から接近離隔する方向に摺動自在に設け、前記見切縁支持手段によって、天井板の周辺部を支持する見切縁をその長さ方向に摺動自在に支持したことを特徴とする天井の構造である。
【０００５】
〔請求項２〕
また本発明は、前記見切縁支持手段が、前記見切縁を上下方向に揺動可能に支持するものである請求項１の天井の構造である。
【０００６】
〔請求項３〕
また本発明は、前記見切縁支持手段が、前記ブラケット部材の横材部上を摺動する摺動部と、該摺動部及び前記横材部を上下動自在に貫通する縦軸と、該縦軸上端に固定したバネ受板と、該縦軸下端に固定した見切縁支持部と、前記摺動部とバネ受板との間に装着され前記見切縁支持部を上方向に付勢するバネとを有するものである請求項２の天井の構造である。
【０００７】
〔請求項４〕
また本発明は、前記ブラケット部材の横材部が、断面Ｕ字状に形成された本体と、該本体に出入り自在に嵌装された断面Ｕ字状の嵌装部を有し、該本体と嵌装部が前記軸が貫通し壁から接近離隔する方向に移動可能となるスリットを有するものである請求項３の天井の構造である。
【発明の効果】
【０００８】
本発明の天井の構造は、見切縁支持手段をブラケット部材の横材部に壁から接近離隔する方向に摺動自在に設け、かつ、見切縁支持手段によって見切縁をその長さ方向に摺動自在に支持したので、見切縁は、天井板の動きに合わせてあらゆる方向に動くことができる。また、ブラケット部材の横材部の長さを長くすれば、見切縁を大きく動かす（例えば１０ｃｍ以上）ことも可能で、大地震で天井板が大きく揺れた場合でも、その揺れを吸収し、天井の歪みや天井板の落下を防止できる。
【０００９】
見切縁支持手段によって、見切縁を上下方向に揺動可能に支持するようにすると、地震時の天井板の縦方向の揺れが吸収され、天井板にかかる縦方向の衝撃も緩和される。
【００１０】
ブラケット部材の横材部を、断面Ｕ字状の本体に断面Ｕ字状の嵌装部を出入り自在に嵌装して構成すると、横部材の長さを短くしても見切縁を大きく動かすことが可能となり、ブラケット部材が天井下地の邪魔にならず、天井下地を天井板の端部付近まで形成して天井の強度を高めることができる。
【実施例】
【００１１】
図１は実施例の天井構造の説明図、図２はブラケット部材及び見切縁支持手段の平面図、図３は実施例の天井構造の天井裏から見た略平面図である。
ブラケット部材１は、板状の縦材部２及び横材部３によりＬ字状に形成され、縦材部２をビス１４で壁に固定することで壁１３に取り付けられる。横材部３には、見切縁支持手段４が壁１３から接近離隔する方向に摺動できるようにスリット３ａが形成されている。ブラケット部材１の下面には塞ぎ板１５が貼り付けられ、隙間を塞いでいる。塞ぎ板にもスリット３ａと同様のスリットが設けられている。
【００１２】
見切縁支持手段４は、ブラケット部材１の横材部３の上を摺動する摺動部７と、摺動部７、横材部３及び塞ぎ板１５を貫通する縦軸８と、縦軸８の上端にビス１１で固定したバネ受板９と、縦軸８の下端にビス１１で固定した見切縁支持部１０と、摺動部７とバネ受板９との間に装着され見切縁支持部１０を上方向に付勢するバネ１６からなる。摺動部７は板材を逆Ｕ字状に折り曲げたものである。バネ１６は縦軸８の周囲に装着されている。
【００１３】
見切縁５は概略四角形の中空棒材で、下端から側方に天井板支持部５ａが突出形成され、該天井板支持部５ａにより天井板６の周辺部が支持される。また、上面両側の突起５ｂが塞ぎ板１５の下面に当接しているので、塞ぎ板に対して長さ方向に摺動しやすくなっている。上面中央には開口１２が形成されている。この開口からＵ字状の見切縁支持部１０を差し込み、９０°回転して、図１のように見切縁５を支持する。見切縁支持部１０はバネ１６により上方に付勢されているので、見切縁５は塞ぎ板１５の下面に押圧されるが、見切縁５はその長さ方向に摺動することができる。
【００１４】
この天井構造は上記の構成であるので、見切縁は壁から接近離隔する方向（図１のＸ方向）に摺動自在であると共に、見切縁の長さ方向（図３のＹ方向）にも摺動自在であり、結局あらゆる方向に摺動することができる。また、バネ１６の作用により、上下方向に揺動可能である。
【００１５】
図３に示すように、ブラケット部材１は、部屋の壁に沿って適宜間隔（例えば６０ｃｍ間隔）で取り付ける。ブラケット部材１の下面には、部屋の全周に亘って塞ぎ板１５を貼り付け、隙間を塞ぐ。塞ぎ板１５の下面には、部屋の全周に亘って、図１に示すように、見切縁５を取り付ける。天井板は従来方法により施工し、その周辺部を見切縁５の天井板支持部５ａの上に支持させる。
このようにして部屋の全周に設置した見切縁５は、全体がＸ方向及びＹ方向に摺動可能であるので、地震時に天井板が揺れた場合、その揺れた方向に追随して摺動し、揺れを吸収して衝撃を緩和する。また、上下方向に揺動するので、上下方向の衝撃も緩和する。
【００１６】
図４〜１１は他の実施例の天井構造に関し、図４〜６は天井構造の説明図、図７は天井構造の分解説明図、図８はブラケット部材の側面図、図９はブラケット部材の正面図、図１０は横材部本体の説明図、図１１は横材部の嵌装部の説明図である。
この実施例は、ブラケット部材の構造、見切縁、塞ぎ板の形状などが前記の実施例と異なっているが、基本的には前記実施例と同じものである。
【００１７】
本実施例の特徴は、ブラケット部材２０の横材部が横材部本体２２と嵌装部２４からなる点である。図１０に示すように、横材部本体２２は断面Ｕ字状をなし、縦材部２１が一体に形成されている。下面には、見切縁支持手段２６が壁１３から接近離隔する方向に摺動できるようにスリット２２ａが形成されている。スリット２２ａの先端側は開放した拡幅部２２ｂとなっている。これは、見切縁支持部３０を入れるためのものである。下面の基端側には、塞ぎ板支持部４０を入れるための穴２２ｃが形成されている。両側面にはガイド溝２３が形成されている。
【００１８】
図１１に示すように、嵌装部２４は断面Ｕ字状に形成され、下面には見切縁支持手段２６が壁１３から接近離隔する方向に摺動できるようにスリット２４ａが形成されている。スリット２４ａの先端側は拡幅部２４ｂとなっている。これも、見切縁支持部３０を入れるためのものである。下面の基端側には、塞ぎ板支持部４０を入れるための穴２４ｃが形成され、その基端側は開放部となっている。両側面の基端側上端にはガイド片２５が外側に向けて突出形成されている。
【００１９】
図８、９に示すように、嵌装部２４は横材部本体２２の内側に出入り自在に嵌装される。このとき、ガイド片２５はガイド溝２３から外側に突出し、嵌装部２４が本体２２内を動くときにガイド片２５がガイド溝２３に沿って動く。これにより、嵌装部２４は本体２２から脱落することがない。
【００２０】
見切縁支持手段２６は前記の実施例とほぼ同じ構成で、ブラケット部材２０の横材部（本体及び嵌装部）の上を摺動する摺動部２７と、摺動部２７及び横材部（本体及び嵌装部）を貫通する縦軸２８と、縦軸２８の上端にビス３１で固定したバネ受板２９と、縦軸２８の下端にビス３１で固定した見切縁支持部３０と、摺動部２７とバネ受板２９との間に装着され見切縁支持部３０を上方向に付勢するバネ１６からなる。摺動部２７は板材を逆Ｕ字状に折り曲げたもので、滑らかに摺動するように４個の車輪３２を設けている。バネ１６は縦軸２８の周囲に装着されている（図９）。
【００２１】
見切縁３３は概略四角形の中空棒材で、下端から側方に天井板支持部３３ａが突出形成され、該天井板支持部３３ａにより天井板６の周辺部が支持される。上面中央には開口３７が形成されている（図７）。ブラケット部材２０及び塞ぎ板３４の拡幅部２４ｂ、２２ｂ、３４ｂ及びこの開口３７からＵ字状の見切縁支持部３０を差し込み、９０°回転して、図８のように見切縁３３を支持する。見切縁支持部３０はバネ１６により上方に付勢されているので、見切縁３３は塞ぎ板３４の下面に押圧されるが、見切縁５はその長さ方向に摺動することができる。見切縁３３の上面の開口３７の両側には位置決めのための凹溝３８が形成されている（図７）。
【００２２】
ブラケット部材２０の下面には塞ぎ板３４が貼り付けられ、隙間を塞いでいる。塞ぎ板にも、横材部本体２４と同様にスリット３４ａ、拡幅部３４ｂ及び穴３４ｃが設けられている。下面には、見切縁３３を位置決めするための突条３５、及び塞ぎ板支持手段３９で支持するための突条３６が設けられている（図７）。
塞ぎ板３４の壁側端部は塞ぎ板支持手段３９で支持される。塞ぎ板支持手段３９は見切縁支持手段２６と全く同じ構造で、下端の見切縁支持部３０が塞ぎ板支持部４０の名称に代わっているだけである。塞ぎ板支持部４０を穴２４ｃ、２２ｃ及び３４ｃから差し込み、９０°回転して、図８のように塞ぎ板３４を支持する。
【００２３】
図４に示すのは、地震が起こっていない正常な状態である。このとき、見切縁３３は、見切縁の凹溝３８と塞ぎ板の突条３５が係合して位置決めされている。
図５に示すのは、地震時に見切縁３３が壁側に８０ｍｍ摺動した状態である。見切縁支持手段２６及び見切縁３３が壁方向に摺動する際、縦軸３８がスリット２２ａ、２４ａ、３４ａの中を移動する。
図６に示すのは、地震時に見切縁３３が壁の反対側に７５ｍｍ摺動した状態である。このとき、ブラケット部材２０の嵌装部２４が横材部本体２２から延びだしている。
このように、見切縁３３は、地震時の天井板の移動に伴って、壁から接近離隔する方向に大きく摺動する。また、前記の実施例と同様に、見切縁３３は、その長さ方向にも摺動自在であるので、結局あらゆる方向に摺動することができる。また、バネ１６の作用により、上下方向に揺動可能である。
【図面の簡単な説明】
【００２４】
【図１】実施例の天井構造の説明図である。
【図２】ブラケット部材及び見切縁支持手段の平面図である。
【図３】実施例の天井構造の天井裏から見た略平面図である。
【図４】実施例の天井構造の説明図である。
【図５】実施例の天井構造の説明図である。
【図６】実施例の天井構造の説明図である。
【図７】実施例の天井構造の分解説明図である。
【図８】ブラケット部材の側面図である。
【図９】ブラケット部材の正面図である。
【図１０】横材部本体の説明図である。
【図１１】横材部の嵌装部の説明図である。
【符号の説明】
【００２５】
１  ブラケット部材
２  縦材部
３  横材部
４  見切縁支持手段
５  見切縁
６  天井板
７  摺動部
８  縦軸
９  バネ受板
１０  見切縁支持部
１１  ビス
１２  開口
１３  壁
１４  ビス
１５  塞ぎ板
１６  バネ
２０  ブラケット部材
２１  縦材部
２２  横材部本体
２３  ガイド溝
２４  嵌装部
２５  ガイド片
２６  見切縁支持手段
２７  摺動部
２８  縦軸
２９  バネ受板
３０  見切縁支持部
３１  ビス
３２  車輪
３３  見切縁
３４  塞ぎ板
３５  突条
３６  突条
３７  開口
３８  凹溝
３９  塞ぎ板支持手段
４０  塞ぎ板支持部
【図１】
2009097150.tif 000003
【図２】
2009097150.tif 000004
【図３】
2009097150.tif 000005
【図４】
2009097150.tif 000006
【図５】
2009097150.tif 000007
【図６】
2009097150.tif 000008
【図７】
2009097150.tif 000009
【図８】
2009097150.tif 000010
【図９】
2009097150.tif 000011
【図１０】
2009097150.tif 000012
【図１１】
2009097150.tif 000013